(57)【特許請求の範囲】
【請求項１】
ＤＶＤ＋Ｒの規格に準拠した情報記録媒体を複数の記録区分に分割して前記情報記録媒体にＤＶＤ＋Ｒの規格に準拠したデータを光学的に記録する情報記録方法において、
前記記録区分にデータを記録するステップと、
前記データを記録するステップに続けて前記記録区分の終了を示すクロージャを記録するステップと、を備え、
前記情報記録媒体に記録される前記クロージャが前記情報記録媒体に予め決められた範囲を超える規定領域に達しない場合には、前記クロージャを記録するステップにおいて前記クロージャのバッファゾーン（Buffer Zone）を前記規定領域に達するまで延長して記録することを特徴とする情報記録方法。
【請求項２】
ＤＶＤ＋Ｒの規格に準拠した情報記録媒体を複数の記録区分に分割して前記情報記録媒体にＤＶＤ＋Ｒの規格に準拠したデータを光学的に記録する情報記録方法において、
前記記録区分にデータを記録するステップと、
前記データを記録するステップに続けて前記記録区分の終了を示すクロージャを記録するステップと、を備え、
前記情報記録媒体に記録される前記クロージャが前記情報記録媒体に予め決められた範囲を超える規定領域に達しない場合には、前記クロージャを記録するステップにおいて前記クロージャのアウターセッションアイデンティフィケーションゾーン（Outer Session Identification Zone）を前記規定領域に達するまで延長して記録することを特徴とする情報記録方法。
【請求項３】
ＤＶＤ＋Ｒの規格に準拠した情報記録媒体を複数の記録区分に分割して前記情報記録媒体にＤＶＤ＋Ｒの規格に準拠したデータを光学的に記録する情報記録方法において、
前記記録区分にデータを記録するステップと、
前記データを記録するステップに続けて前記記録区分の終了を示すクロージャを記録するステップと、を備え、
前記情報記録媒体に記録される前記クロージャが前記情報記録媒体に予め決められた範囲を超える規定領域に達しない場合には、前記クロージャを記録するステップにおいて前記クロージャのアウターセッションアイデンティフィケーションゾーン（Outer Session Identification Zone）の後にバッファゾーン（Buffer Zone）を前記規定領域に達するまで追加記録することを特徴とする情報記録方法。
【請求項４】
前記クロージャの位置情報を前記情報記録媒体の未使用領域に記録するステップを更に有する請求項１ないし３の何れか一項記載の情報記録方法。
【請求項５】
前記クロージャの位置情報は、リードイン（Lead-in）中の未使用領域に記録される請求項４記載の情報記録方法。
【請求項６】
前記クロージャの位置情報は、前記クロージャ中の未使用領域に記録される請求項４記載の情報記録方法。
【請求項７】
前記クロージャの位置情報は、イントロ（Intro）中の未使用領域に記録される請求項４記載の情報記録方法。
【請求項８】
前記クロージャの位置情報は、ＴＯＣゾーン（ＴＯＣ(Table of Contents） Zone）中の未使用領域に記録される請求項４記載の情報記録方法。
【請求項９】
ＤＶＤ＋Ｒの規格に準拠した情報記録媒体を複数の記録区分に分割して前記情報記録媒体にＤＶＤ＋Ｒの規格に準拠したデータを光学的に記録する情報記録装置において、
前記記録区分にデータを記録する手段と、
前記データの記録に続けて前記記録区分の終了を示すクロージャを記録する手段と、を備え、
前記情報記録媒体に記録される前記クロージャが前記情報記録媒体に予め決められた範囲を超える規定領域に達しない場合には、前記クロージャを記録する際、前記クロージャのバッファゾーン（Buffer Zone）を前記規定領域に達するまで延長して記録することを特徴とする情報記録装置。
【請求項１０】
ＤＶＤ＋Ｒの規格に準拠した情報記録媒体を複数の記録区分に分割して前記情報記録媒体にＤＶＤ＋Ｒの規格に準拠したデータを光学的に記録する情報記録装置において、
前記記録区分にデータを記録する手段と、
前記データの記録に続けて前記記録区分の終了を示すクロージャを記録する手段と、を備え、
前記情報記録媒体に記録される前記クロージャが前記情報記録媒体に予め決められた範囲を超える規定領域に達しない場合には、前記クロージャを記録する際、前記クロージャのアウターセッションアイデンティフィケーションゾーン（Outer Session Identification Zone）を前記規定領域に達するまで延長して記録することを特徴とする情報記録装置。
【請求項１１】
ＤＶＤ＋Ｒの規格に準拠した情報記録媒体を複数の記録区分に分割して前記情報記録媒体にＤＶＤ＋Ｒの規格に準拠したデータを光学的に記録する情報記録装置において、
前記記録区分にデータを記録する手段と、
前記データの記録に続けて前記記録区分の終了を示すクロージャを記録する手段と、を備え、
前記情報記録媒体に記録される前記クロージャが前記情報記録媒体に予め決められた範囲を超える規定領域に達しない場合には、前記クロージャを記録する際、前記クロージャのアウターセッションアイデンティフィケーションゾーン（Outer Session Identification Zone）の後にバッファゾーン（Buffer Zone）を前記規定領域に達するまで追加記録することを特徴とする情報記録装置。
【請求項１２】
前記クロージャの位置情報を前記情報記録媒体の未使用領域に記録する手段を更に有する請求項９ないし１１の何れか一項記載の情報記録装置。
【請求項１３】
前記クロージャの位置情報は、リードイン（Lead-in）中の未使用領域に記録される請求項１２記載の情報記録装置。
【請求項１４】
前記クロージャの位置情報は、前記クロージャ中の未使用領域に記録される請求項１２記載の情報記録装置。
【請求項１５】
前記クロージャの位置情報は、イントロ（Intro）中の未使用領域に記録される請求項１２記載の情報記録装置。
【請求項１６】
前記クロージャの位置情報は、ＴＯＣゾーン（ＴＯＣ(Table of Contents） Zone）中の未使用領域に記録される請求項１２記載の情報記録装置。
【請求項１７】
ホストと、該ホストからの要求に応じてＤＶＤ＋Ｒの規格に準拠した情報記録媒体を複数の記録区分に分割して前記情報記録媒体にＤＶＤ＋Ｒの規格に準拠したデータを光学的に記録する情報記録装置と、を備えた情報記録再生システムであって、
前記ホストは、前記情報記録再生装置にデータの記録要求を出し、
前記情報記録装置は、前記ホストからのデータ記録要求に応じて前記記録区分に対してデータの記録を行い、前記データの記録に続けて前記記録区分の終了を示すクロージャの記録を行い、
前記情報記録媒体に記録される前記クロージャが前記情報記録媒体に予め決められた範囲を超える規定領域に達しない場合には、前記クロージャを記録する際、前記クロージャのバッファゾーン（Buffer Zone）を前記規定領域に達するまで延長して記録することを特徴とする情報記録再生システム。
【請求項１８】
ホストと、該ホストからの要求に応じてＤＶＤ＋Ｒの規格に準拠した情報記録媒体を複数の記録区分に分割して前記情報記録媒体にＤＶＤ＋Ｒの規格に準拠したデータを光学的に記録する情報記録装置と、を備えた情報記録再生システムであって、
前記ホストは、前記情報記録再生装置にデータの記録要求を出し、
前記情報記録装置は、前記ホストからのデータ記録要求に応じて前記記録区分に対してデータの記録を行い、前記データの記録に続けて前記記録区分の終了を示すクロージャの記録を行い、
前記情報記録媒体に記録される前記クロージャが前記情報記録媒体に予め決められた範囲を超える規定領域に達しない場合には、前記クロージャを記録する際、前記クロージャのアウターセッションアイデンティフィケーションゾーン（Outer Session Identification Zone）を前記規定領域に達するまで延長して記録することを特徴とする情報記録再生システム。
【請求項１９】
ホストと、該ホストからの要求に応じてＤＶＤ＋Ｒの規格に準拠した情報記録媒体を複数の記録区分に分割して前記情報記録媒体にＤＶＤ＋Ｒの規格に準拠したデータを光学的に記録する情報記録装置と、を備えた情報記録再生システムであって、
前記ホストは、前記情報記録再生装置にデータの記録要求を出し、
前記情報記録装置は、前記ホストからのデータ記録要求に応じて前記記録区分に対してデータの記録を行い、前記データの記録に続けて前記記録区分の終了を示すクロージャの記録を行い、
前記情報記録媒体に記録される前記クロージャが前記情報記録媒体に予め決められた範囲を超える規定領域に達しない場合には、前記クロージャを記録する際、前記クロージャのアウターセッションアイデンティフィケーションゾーン（Outer Session Identification Zone）の後にバッファゾーン（Buffer Zone）を前記規定領域に達するまで追加記録することを特徴とする情報記録再生システム。
【請求項２０】
前記クロージャの位置情報を前記情報記録媒体の未使用領域に記録する手段を更に有する請求項１７ないし１９の何れか一項記載の情報記録再生システム。
【請求項２１】
前記クロージャの位置情報は、リードイン（Lead-in）中の未使用領域に記録される請求項２０記載の情報記録再生システム。
【請求項２２】
前記クロージャの位置情報は、前記クロージャ中の未使用領域に記録される請求項２０記載の情報記録再生システム。
【請求項２３】
前記クロージャの位置情報は、イントロ（Intro）中の未使用領域に記録される請求項２０記載の情報記録再生システム。
【請求項２４】
前記クロージャの位置情報は、ＴＯＣゾーン（ＴＯＣ(Table of Contents） Zone）中の未使用領域に記録される請求項２０記載の情報記録再生システム。
【発明の詳細な説明】
【０００１】
【発明の属する技術分野】
本発明は、ＤＶＤ＋Ｒ等の記録可能な情報記録媒体に対して記録を行う情報記録装置に関する。
【０００２】
【従来の技術】
近年、パーソナルコンピュータ（ＰＣ）は、その機能が向上するに伴い、音楽や映像といったＡＶ（Audio-Visual）情報を取り扱うことが可能になってきている。これらのＡＶ情報は、その情報量が非常に大きいため、情報記録媒体としてＤＶＤ（Digital Versatile Disc）系の光ディスクが注目されるようになり、その低価格化とともに、情報記録再生装置としての光ディスク装置がＰＣの周辺機器の一つとして普及するようになってきている。
【０００３】
ＤＶＤ系の記録型ディスクとして、ＤＶＤ＋Ｒ（Recordable）やＤＶＤ＋ＲＷ（Rewritable）などのディスクがある。これらのディスクは物理特性がＤＶＤ−ＲＯＭディスクに近く、ＤＶＤ−ＲＯＭドライブとの互換性に優れたディスクである。
【０００４】
ここで、ＤＶＤ＋Ｒでは、複数の記録区分（セッション（Session））に分割して情報を記録するマルチセッション記録方式（Multi-Session Layout）を採用することが可能である。ＤＶＤ＋Ｒにおいて、そのようなマルチセッション記録方式（Multi-Session Layout）を採用した場合、最初のセッション（Session）は、ＴＯＣゾーン（ＴＯＣ(Table of Contents) Zone）等を有するインナードライブエリア（Inner Drive Area）に続いて開かれ、その後、複数のセッション（Session）が続き、最後のセッション（Session）の後にはアウタードライブエリア（Outer Drive Area）が生成されることになる。各セッション（Session）は、イントロ（Intro）（最初のセッション（Session）の場合にはリードイン（Lead-in））、Data、及びクロージャ（Closure）（最後のセッション（Session）の場合にはリードアウト（Lead-Out））から構成されている。
【０００５】
【発明が解決しようとする課題】
ＤＶＤ−ＲＯＭディスクでは、ディスクの半径位置３５ｍｍまでは情報が記録されていることになっている。このため、ディスクの半径位置３０ｍｍ程度までの領域にデータが記録されていないと、ＤＶＤ−ＲＯＭドライブが正常な読取動作を行うことができなくなってしまう。
【０００６】
これに対して、ＤＶＤ＋Ｒディスクは、そのグルーブにＡＤＩＰ（Address In Pre-groove）と呼ばれるアドレス情報が記録されており、ＤＶＤ＋Ｒドライブは、そのようなＡＤＩＰを読み取ることができるので、データが記録されていない領域に対してアクセスしても、ＡＤＩＰからアドレス情報を得ることができる。
【０００７】
このようなＤＶＤ＋ＲとＤＶＤ−ＲＯＭとの相違によって問題となるのは、ＤＶＤ＋Ｒドライブによって少量のデータのみを記録して最初のセッションをクローズした場合の互換性の問題である。つまり、ＤＶＤ＋Ｒドライブによって少量のデータのみを記録して最初のセッションをクローズした場合、ディスクの半径位置３０ｍｍ以内の位置に情報が記録されていないＤＶＤ＋Ｒディスクが生成される可能性がある。このようなＤＶＤ＋Ｒディスクに対して、ＤＶＤ＋ＲドライブであればＡＤＩＰからアドレス情報を獲得することができるので何の問題もなくアクセス可能であるが、ＤＶＤ−ＲＯＭドライブの場合は、読取動作を行うことができなくなってしまうという問題がある。
【０００８】
本発明の目的は、最初の記録区分（セッション（Session））に記録された記録データサイズが小さい情報記録媒体であっても、ＤＶＤ−ＲＯＭドライブのような情報記録媒体の中心から予め決められた範囲を超える規定領域に達するまでの範囲にデータが記録されていないと正常な読取動作を行い得ない情報再生装置によっても正常に情報を再生できるようにすることである。
【０００９】
【課題を解決するための手段】
請求項１記載の発明は、ＤＶＤ＋Ｒの規格に準拠した情報記録媒体を複数の記録区分に分割して前記情報記録媒体にＤＶＤ＋Ｒの規格に準拠したデータを光学的に記録する情報記録方法において、前記記録区分にデータを記録するステップと、前記データを記録するステップに続けて前記記録区分の終了を示すクロージャを記録するステップと、を備え、前記情報記録媒体に記録される前記クロージャが前記情報記録媒体に予め決められた範囲を超える規定領域に達しない場合には、前記クロージャを記録するステップにおいて前記クロージャのバッファゾーン（Buffer Zone）を前記規定領域に達するまで延長して記録することを特徴とする。
【００１０】
請求項２記載の発明は、ＤＶＤ＋Ｒの規格に準拠した情報記録媒体を複数の記録区分に分割して前記情報記録媒体にＤＶＤ＋Ｒの規格に準拠したデータを光学的に記録する情報記録方法において、前記記録区分にデータを記録するステップと、前記データを記録するステップに続けて前記記録区分の終了を示すクロージャを記録するステップと、を備え、前記情報記録媒体に記録される前記クロージャが前記情報記録媒体に予め決められた範囲を超える規定領域に達しない場合には、前記クロージャを記録するステップにおいて前記クロージャのアウターセッションアイデンティフィケーションゾーン（Outer Session Identification Zone）を前記規定領域に達するまで延長して記録することを特徴とする。
【００１１】
請求項３記載の発明は、ＤＶＤ＋Ｒの規格に準拠した情報記録媒体を複数の記録区分に分割して前記情報記録媒体にＤＶＤ＋Ｒの規格に準拠したデータを光学的に記録する情報記録方法において、前記記録区分にデータを記録するステップと、前記データを記録するステップに続けて前記記録区分の終了を示すクロージャを記録するステップと、を備え、前記情報記録媒体に記録される前記クロージャが前記情報記録媒体に予め決められた範囲を超える規定領域に達しない場合には、前記クロージャを記録するステップにおいて前記クロージャのアウターセッションアイデンティフィケーションゾーン（Outer Session Identification Zone）の後にバッファゾーン（Buffer Zone）を前記規定領域に達するまで追加記録することを特徴とする。
【００１２】
したがって、請求項１ないし３の何れか一項記載の発明によれば、ＤＶＤ＋Ｒの規格に準拠した情報記録媒体に予め決められた範囲を超える規定領域までＤＶＤ＋Ｒの規格に準拠したデータが記録されることになる。これにより、情報記録媒体に予め決められた範囲を超える規定領域以内の範囲にデータが記録されていないと正常な読取動作を行うことができない再生装置によっても、データの正常な再生が可能となる。つまり、最初のセッション（Session）に記録されたデータが極めて短い場合であっても、そのようなデータが記録されたＤＶＤ＋Ｒを例えばＤＶＤ−ＲＯＭ用の情報再生装置に正常に読み取らせることが可能となる。
【００１７】
次いで、請求項４記載の発明は、クロージャの長さが変わった場合でも次の記録区分の先頭位置を容易に教示し得る手法を規定する。
【００１８】
つまり、請求項４記載の発明は、請求項１ないし３の何れか一項記載の情報記録方法において、前記クロージャの位置情報を前記情報記録媒体の未使用領域に記録するステップを更に有する。
【００２０】
ここで、請求項５ないし８記載の発明は、未使用領域をより具体化する。
【００２１】
つまり、請求項５記載の発明は、請求項４記載の情報記録方法において、前記クロージャの位置情報は、リードイン（Lead-in）中の未使用領域に記録される。
【００２２】
また、請求項６記載の発明は、請求項４記載の情報記録方法において、前記クロージャの位置情報は、前記クロージャ（Closure）中の未使用領域に記録される。
【００２３】
また、請求項７記載の発明は、請求項４記載の情報記録方法において、前記クロージャの位置情報は、イントロ（Intro）中の未使用領域に記録される。
【００２４】
さらに、請求項８記載の発明は、請求項４記載の情報記録方法において、前記クロージャの位置情報は、ＴＯＣゾーン（ＴＯＣ(Table of Contents） Zone）中の未使用領域に記録される。
【００２５】
請求項９記載の発明は、ＤＶＤ＋Ｒの規格に準拠した情報記録媒体を複数の記録区分に分割して前記情報記録媒体にＤＶＤ＋Ｒの規格に準拠したデータを光学的に記録する情報記録装置において、前記記録区分にデータを記録する手段と、前記データの記録に続けて前記記録区分の終了を示すクロージャを記録する手段と、を備え、前記情報記録媒体に記録される前記クロージャが前記情報記録媒体に予め決められた範囲を超える規定領域に達しない場合には、前記クロージャを記録する際、前記クロージャのバッファゾーン（Buffer Zone）を前記規定領域に達するまで延長して記録することを特徴とする。
【００２６】
請求項１０記載の発明は、ＤＶＤ＋Ｒの規格に準拠した情報記録媒体を複数の記録区分に分割して前記情報記録媒体にＤＶＤ＋Ｒの規格に準拠したデータを光学的に記録する情報記録装置において、前記記録区分にデータを記録する手段と、前記データの記録に続けて前記記録区分の終了を示すクロージャを記録する手段と、を備え、前記情報記録媒体に記録される前記クロージャが前記情報記録媒体に予め決められた範囲を超える規定領域に達しない場合には、前記クロージャを記録する際、前記クロージャのアウターセッションアイデンティフィケーションゾーン（Outer Session Identification Zone）を前記規定領域に達するまで延長して記録することを特徴とする。
【００２７】
請求項１１記載の発明は、ＤＶＤ＋Ｒの規格に準拠した情報記録媒体を複数の記録区分に分割して前記情報記録媒体にＤＶＤ＋Ｒの規格に準拠したデータを光学的に記録する情報記録装置において、前記記録区分にデータを記録する手段と、前記データの記録に続けて前記記録区分の終了を示すクロージャを記録する手段と、を備え、前記情報記録媒体に記録される前記クロージャが前記情報記録媒体に予め決められた範囲を超える規定領域に達しない場合には、前記クロージャを記録する際、前記クロージャのアウターセッションアイデンティフィケーションゾーン（Outer Session Identification Zone）の後にバッファゾーン（Buffer Zone）を前記規定領域に達するまで追加記録することを特徴とする。
【００２８】
したがって、請求項９ないし１１の何れか一項記載の発明によれば、ＤＶＤ＋Ｒの規格に準拠した情報記録媒体に予め決められた範囲を超える規定領域までＤＶＤ＋Ｒの規格に準拠したデータが記録されることになる。これにより、情報記録媒体に予め決められた範囲を超える規定領域以内の範囲にデータが記録されていないと正常な読取動作を行うことができない再生装置によっても、データの正常な再生が可能となる。つまり、最初のセッション（Session）に記録されたデータが極めて短い場合であっても、そのようなデータが記録されたＤＶＤ＋Ｒを例えばＤＶＤ−ＲＯＭ用の情報再生装置に正常に読み取らせることが可能となる。
【００３３】
次いで、請求項１２記載の発明は、クロージャの長さが変わった場合でも次の記録区分の先頭位置を容易に教示し得る手法を規定する。
【００３４】
つまり、請求項１２記載の発明は、請求項９ないし１１の何れか一項記載の情報記録装置において、前記クロージャの位置情報を前記情報記録媒体の未使用領域に記録する手段を更に有する。
【００３６】
ここで、請求項１３ないし１６記載の発明は、未使用領域をより具体化する。
【００３７】
つまり、請求項１３記載の発明は、請求項１２記載の情報記録装置において、前記クロージャの位置情報は、リードイン（Lead-in）中の未使用領域に記録される。
【００３８】
また、請求項１４記載の発明は、請求項１２記載の情報記録装置において、前記クロージャの位置情報は、前記クロージャ（Closure）中の未使用領域に記録される。
【００３９】
また、請求項１５記載の発明は、請求項１２記載の情報記録装置において、前記クロージャの位置情報は、イントロ（Intro）中の未使用領域に記録される。
【００４０】
さらに、請求項１６記載の発明は、請求項１２記載の情報記録装置において、前記クロージャの位置情報は、ＴＯＣゾーン（ＴＯＣ(Table of Contents） Zone）中の未使用領域に記録される。
【００４１】
請求項１７記載の発明は、ホストと、該ホストからの要求に応じてＤＶＤ＋Ｒの規格に準拠した情報記録媒体を複数の記録区分に分割して前記情報記録媒体にＤＶＤ＋Ｒの規格に準拠したデータを光学的に記録する情報記録装置と、を備えた情報記録再生システムであって、前記ホストは、前記情報記録再生装置にデータの記録要求を出し、前記情報記録装置は、前記ホストからのデータ記録要求に応じて前記記録区分に対してデータの記録を行い、前記データの記録に続けて前記記録区分の終了を示すクロージャの記録を行い、前記情報記録媒体に記録される前記クロージャが前記情報記録媒体に予め決められた範囲を超える規定領域に達しない場合には、前記クロージャを記録する際、前記クロージャのバッファゾーン（Buffer Zone）を前記規定領域に達するまで延長して記録することを特徴とする。
【００４２】
請求項１８記載の発明は、ホストと、該ホストからの要求に応じてＤＶＤ＋Ｒの規格に準拠した情報記録媒体を複数の記録区分に分割して前記情報記録媒体にＤＶＤ＋Ｒの規格に準拠したデータを光学的に記録する情報記録装置と、を備えた情報記録再生システムであって、前記ホストは、前記情報記録再生装置にデータの記録要求を出し、前記情報記録装置は、前記ホストからのデータ記録要求に応じて前記記録区分に対してデータの記録を行い、前記データの記録に続けて前記記録区分の終了を示すクロージャの記録を行い、前記情報記録媒体に記録される前記クロージャが前記情報記録媒体に予め決められた範囲を超える規定領域に達しない場合には、前記クロージャを記録する際、前記クロージャのアウターセッションアイデンティフィケーションゾーン（Outer Session Identification Zone）を前記規定領域に達するまで延長して記録することを特徴とする。
【００４３】
請求項１９記載の発明は、ホストと、該ホストからの要求に応じてＤＶＤ＋Ｒの規格に準拠した情報記録媒体を複数の記録区分に分割して前記情報記録媒体にＤＶＤ＋Ｒの規格に準拠したデータを光学的に記録する情報記録装置と、を備えた情報記録再生システムであって、前記ホストは、前記情報記録再生装置にデータの記録要求を出し、前記情報記録装置は、前記ホストからのデータ記録要求に応じて前記記録区分に対してデータの記録を行い、前記データの記録に続けて前記記録区分の終了を示すクロージャの記録を行い、前記情報記録媒体に記録される前記クロージャが前記情報記録媒体に予め決められた範囲を超える規定領域に達しない場合には、前記クロージャを記録する際、前記クロージャのアウターセッションアイデンティフィケーションゾーン（Outer Session Identification Zone）の後にバッファゾーン（Buffer Zone）を前記規定領域に達するまで追加記録することを特徴とする。
【００４４】
したがって、請求項１７ないし１９の何れか一項記載の発明によれば、ＤＶＤ＋Ｒの規格に準拠した情報記録媒体に予め決められた範囲を超える規定領域までＤＶＤ＋Ｒの規格に準拠したデータが記録されることになる。これにより、情報記録媒体に予め決められた範囲を超える規定領域以内の範囲にデータが記録されていないと正常な読取動作を行うことができない再生装置によっても、データの正常な再生が可能となる。つまり、最初のセッション（Session）に記録されたデータが極めて短い場合であっても、そのようなデータが記録されたＤＶＤ＋Ｒを例えばＤＶＤ−ＲＯＭ用の情報再生装置に正常に読み取らせることが可能となる。
【００４７】
次いで、請求項２０記載の発明は、クロージャの長さが変わった場合でも次の記録区分の先頭位置を容易に教示し得る手法を規定する。
【００４８】
つまり、請求項２０記載の発明は、請求項１７ないし１９の何れか一項記載の情報記録再生システムにおいて、前記クロージャの位置情報を前記情報記録媒体の未使用領域に記録する手段を更に有する。
【００５０】
ここで、請求項２１ないし２４記載の発明は、未使用領域をより具体化する。
【００５１】
つまり、請求項２１記載の発明は、請求項２０記載の情報記録再生システムにおいて、前記クロージャの位置情報は、リードイン（Lead-in）中の未使用領域に記録される。
【００５２】
また、請求項２２記載の発明は、請求項２０記載の情報記録再生システムにおいて、前記クロージャの位置情報は、前記クロージャ（Closure）中の未使用領域に記録される。
【００５３】
また、請求項２３記載の発明は、請求項２０記載の情報記録再生システムにおいて、前記クロージャの位置情報は、イントロ（Intro）中の未使用領域に記録される。
【００５４】
さらに、請求項２４記載の発明は、請求項２０記載の情報記録再生システムにおいて、前記クロージャの位置情報は、ＴＯＣゾーン（ＴＯＣ(Table of Contents） Zone）中の未使用領域に記録される。
【００６３】
【発明の実施の形態】
本発明の実施の形態を図面に基づいて説明する。
【００６４】
図１は、情報記録装置としての光ディスク装置１の概略構成を示すブロック図である。
【００６５】
この光ディスク装置１は、情報記録媒体としての光ディスク２を回転駆動するためのスピンドルモータ３、光ピックアップ装置４、レーザコントロール回路５、モータドライバ６、再生信号処理回路７、サーボコントローラ８、バッファＲＡＭ９、バッファマネージャ１０、インターフェース１１、ＲＯＭ１２、ＣＰＵ１３及びＲＡＭ１４などを備えて構成されている。なお、図１中に示す矢印は代表的な信号や情報の流れを示すものであり、各ブロックの接続関係の全てを表すものではない。
【００６６】
より詳細には、まず、光ディスク２としては、ＤＶＤ＋Ｒの規格に準拠した情報記録媒体（以下、単に、ＤＶＤ＋Ｒという）が対象とされている。
【００６７】
光ピックアップ装置４は、光源としての半導体レーザ、この半導体レーザから出射されるレーザ光を光ディスク２の記録面に導くとともに記録面で反射された戻り光を所定の受光位置まで導く対物レンズ等を含む光学系、受光位置に配置されて戻り光を受光する受光器、及び、駆動系（フォーカシングアクチュエータ、トラッキングアクチュエータ、シークモータ等）（何れも図示せず）などを含んで構成されている。受光器からは、受光量に応じた電流（電流信号）が再生信号処理回路７に出力される。
【００６８】
サーボコントローラ８では、フォーカスエラー信号に基づいて光ピックアップ装置４のフォーカシングアクチュエータを制御する制御信号を生成するとともに、トラックエラー信号に基づいて光ピックアップ装置４のトラッキングアクチュエータを制御する制御信号を生成する。これらの制御信号はサーボコントローラ８からモータドライバ６に出力される。
【００６９】
モータドライバ６では、サーボコントローラ８からの制御信号に基づいて光ピックアップ装置４のフォーカシングアクチュエータ及びトラッキングアクチュエータを駆動する。また、モータドライバ６では、ＣＰＵ１３の指示に基づいて、光ディスク２の線速度が一定となるようにスピンドルモータ３を制御する。さらに、モータドライバ６では、ＣＰＵ１３の指示に基づいて、光ピックアップ装置４用のシークモータを駆動し、光ピックアップ装置４を光ディスク２の目標トラックに向けて半径方向に移動させる。
【００７０】
インターフェース１１は、外部装置となるホスト（例えば、図２に示す情報処理装置としてのＰＣ１０１）と双方向の通信インターフェースであり、ＡＴＡＰＩ及びＳＣＳＩ等の標準インターフェースに準拠している。
【００７１】
ＣＰＵ１３は、ＲＯＭ１２、ＲＡＭ１４とともに当該光ディスク装置１が備えるマイクロコンピュータ（コンピュータ）を構成している。記憶媒体としても機能するＲＯＭ１２には、ＣＰＵ１３により解読可能なコードで記述された後述するような制御プログラムを含むプログラムが格納されている。ＣＰＵ１３は、ＲＯＭ１２に格納されているプログラムに従って上述の各部の動作を制御するとともに、制御に必要なデータ等を一時的にＲＡＭ１４に保存する。なお、当該光ディスク装置１の電源が投入されると、ＲＯＭ１２に格納されているプログラムは、ＣＰＵ１３のメインメモリ（図示せず）にロード（インストール）される。このＣＰＵ１３による制御処理の一つとして、光ディスク２であるＤＶＤ＋ＲをMulti-Session Layout（マルチセッション記録方式）で記録する制御、最初のセッション（Session）のセッションクローズ時におけるデータ記録容量をチェックし、チェックの結果、データ記録容量が小さければ終端情報（Closure）を延長してセッションをクローズするなどの処理を行う処理が含まれている。
【００７２】
次いで、前述した情報処理装置としてのＰＣ１０１について説明する。ここでいうＰＣは、パーソナルコンピュータの略称である。図２は、光ディスク装置に接続されたＰＣ１０１の概略構成を示すブロック図である。
【００７３】
ＰＣ１０１は、ＲＯＭ１０２、ＲＡＭ１０３と共にマイクロコンピュータを構成するＣＰＵ１０４にバスライン１０５を介して各部が接続された構成を有している。ＲＯＭ１０２には固定データが固定的に記録され、ＲＡＭ１０３には可変データが可変自在に記録されている。このようなマイクロコンピュータにはＨＤＤ（ハードディスクドライブ）１０６、ＦＤＤ（フレキシブルディスクドライブ）１０７、ＣＤ−ＲＯＭドライブ１０８という記憶装置がバスライン１０５を介して接続されている。ＨＤＤ１０６にはＯＳ（オペレーティングシステム）や各種のアプリケーションプログラム等が格納されており、その一部は起動時にＲＡＭ１０３にコピーされ、ＣＰＵ１０４による各部の制御の供せられる。
【００７４】
ＣＰＵ１０４には、更に、ディスプレイ１０９、キーボードやマウス等からなる入力装置１１０、インターフェース１１１がバスライン１０５を介して接続され、そのインターフェース１１１を介して外部機器との接続が可能となっている。例えば、前述した光ディスク装置１も、インターフェース１１１を介してＰＣ１０１に接続されている。
【００７５】
図３は、光ディスク２であるＤＶＤ＋Ｒのマルチセッションフォーマット例を示す模式図である。図３に示す例では、光ディスク２に１〜３までの三つのセッション２０１が生成され、残りは未記録である状態を示している。図３に示すように、ＤＶＤ＋Ｒでは、ディスクの内周側から外周側に向けて記録されるようになっている。最初のセッション２０１は、リードイン（Lead-in）２１１、データエリア（Data）２２１、及びクロージャ（Closure）２３１から構成されている。次のセッション２０１は、イントロ（Intro）２１２、データゾーン２２１、及びクロージャ２３１から構成されている。最後のセッションは、イントロ２１２、データゾーン２２１、及びリードアウト（Lead-Out）２３２から構成されている。
【００７６】
図４は、マルチセッションフォーマットの光ディスク２であるＤＶＤ＋Ｒにおけるデータ構造の概略を示す説明図である。図３では、光ディスク２であるＤＶＤ＋Ｒのマルチセッションフォーマット例を極めて概略的に示したが、これをより詳しく説明したのが図４である。つまり、光ディスク２であるＤＶＤ＋Ｒには、ディスクの内周側から始まる最初の記録内容として、インナードライブエリア（Inner Drive Area）２４１が記録され、これに各セッション２０１が続いて記録されることになる。そして、図４ではセッションＮ（Session Ｎ）として示している最後のセッション２０１に続く最後の記録内容として、アウタードライブエリア（Outer Drive Area）２５１が記録されている。
【００７７】
図５は、シングルセッションフォーマットのＤＶＤ＋Ｒにおけるデータ構造の詳細を示す説明図である。図４では、光ディスク２であるＤＶＤ＋Ｒの各記録内容を省略して示している。この省略した部分については、図５に示すシングルセッションフォーマットのＤＶＤ＋Ｒのデータ構造と共通性を有するため、図５をも用いながらマルチセッションフォーマットの光ディスク２であるＤＶＤ＋Ｒにおけるデータ構造を説明していく。
【００７８】
まず、インナードライブエリア２４１について説明する。このインナードライブエリア２４１には、図５に示す各記録内容が記録されている。特に、インナードライブエリア２４１の最後にはＴＯＣゾーン（ＴＯＣ(Table of Contents) Zone）２４２が設けられており、このＴＯＣゾーン２４２には光ディスク２の全体における管理情報が記録されている。
【００７９】
ここで、図６はＴＯＣゾーン２４２のデータ構造を示す説明図、図７はＴＯＣゾーン２４２中のＴＯＣアイテム（ＴＯＣ Item）２４３のデータ構造を示す説明図である。ＴＯＣゾーン２４２の内容は、図６に示すとおりであり、図６中、RESERVEDとなっている領域は、未使用領域１００１である。また、ＴＯＣゾーン２４２には複数のＴＯＣアイテム２４３が記録されており、各ＴＯＣアイテム２４３の内容は図７に示す通りである。図７からも明らかなように、各ＴＯＣアイテム２４３にもRESERVEDとなっている未使用領域１００１がある。
【００８０】
次いで、最初のセッション２０１におけるリードイン２１１について説明する。このリードイン２１１には、図５に示すような内容が記録されている。このような記録内容中、Guard Zone、Reserved Zone、及びBuffer Zoneは、未使用領域１００１である。
【００８１】
次いで、全てのセッション２０１において、データゾーン２２１には、自由に所望のデータを書き込むことができる。
【００８２】
このようなデータゾーン２２１に続くクロージャ２３１には、バッファゾーン（Buffer Zone）２３３とアウターセッションアイデンティフィケーションゾーン（Outer Session Identification Zone）２３４とが記録されている。バッファゾーン２３３は、未使用領域１００１である。
【００８３】
次いで、二つ目のセッション２０１では、リードイン２１１に代えて、イントロ２１２が記録されている。このイントロ２１２には、バッファゾーン（Buffer Zone）２１３が設けられており、このイントロ２１２中のバッファゾーン２１３は、未使用領域１００１となっている。
【００８４】
さらに、最後のセッション２０１では、クロージャ２３１に代えて、リードアウト２３２が記録されている。このリードアウト２３２には、図５に示す通りの内容が記録されている。
【００８５】
加えて、最後のセッション２０１に続けて最後の記録内容として記録されるアウタードライブエリア２５１の内容は、図５に示す通りである。
【００８６】
図８は、クローズセッション処理、より詳しくは最初のセッション２０１についてのクローズセッション処理の流れを示すフローチャートである。このクローズセッション処理は、一例として、光ディスク装置１のＲＯＭ１２にファームウェアとして記録されているコンピュータプログラムに従い光ディスク装置１のＣＰＵ１３よって実行される。この場合、ＲＯＭ１２は、コンピュータプログラムを記憶する記憶媒体となる。
【００８７】
もっとも、これに限らず、ＰＣ１０１の例えばＨＤＤ１０６に格納されてＰＣ１０１の起動時にそのＲＡＭ１０３にコピーされたコンピュータプログラムに従いＰＣ１０１のＣＰＵ１０４が光ディスク装置１に動作命令を送信することにより実行されるように構築されていても良い。この場合、ＰＣ１０１のＲＡＭ１０３にコピーされるそのコンピュータプログラムは、アプリケーションプログラムという形式でＨＤＤ１０６に格納されていても、ＯＳに組み込まれていても良い。そして、そのようなアプリケーションプログラムがＨＤＤ１０６に格納される場合には、そのようなアプリケーションプログラムは、一例として、ＦＤやＣＤ−ＲＯＭ等のような記録媒体に記録されて流通し、ＰＣ１０１のＦＤＤ１０７やＣＤ−ＲＯＭドライブ１０８で読み取られてＨＤＤ１０６に格納される。したがって、ここで例示した例で言えば、ＨＤＤ１０６、ＲＡＭ１０３、ＦＤ、ＣＤ−ＲＯＭは、コンピュータプログラムを記憶する記憶媒体となる。
【００８８】
以上説明した二つの例では、光ディスク装置１とＰＣ１０１との何れか一方が、本実施の形態に特有の図８に示すフローチャートに従い処理を実行するコンピュータとなる例を示したが、これに限ることなく、そのような処理は光ディスク装置１とＰＣ１０１との両方に分散されて設置されるコンピュータプログラムに従い実行されるようにシステム構築されていても良い。いずれにしても、ＰＣ１０１側でクローズセッション処理の全部又は一部を実行する場合には、光ディスク装置１が図８に例示するような処理を実行可能にするコンピュータプログラムがＰＣ１０１にインストールされていることになる。
【００８９】
クローズセッション処理について説明する。まず、このようなクローズセッション処理に先立ち、光ディスク装置１は、最初の記録区分であるセッション２０１中のデータゾーン２２１にデータを記録するステップ、手段、機能を必ず実行している。その後、光ディスク装置１は、最初のセッション２０１中のデータゾーン２２１に対するデータ記録に続けて、最初のセッション２０１の終了を示す終端情報であるクロージャ２３１を記録するステップ、手段、機能を実行する。
【００９０】
このようなクロージャ２３１を記録するステップ、手段、機能を実行するに際して、図８のフローチャートに示すように、データ書き込み量をチェックし（ステップＳ１１）、そのデータ書き込み量が所定量を超えたかどうかを判定し（ステップＳ１２）、超えていない場合には（ステップＳ１２のＮ）、クロージャ２３１を所定位置まで延長して書き込み（ステップＳ１３）、超えている場合には（ステップＳ１２のＹ）、通常の大きさのクロージャ２３１を書き込む（ステップＳ１４）。
【００９１】
つまり、ステップＳ１１の処理は、光ディスク２に記録されるクロージャ２３１が光ディスク２の中心から予め決められた範囲を超える規定領域に達するかどうかを判定するステップ、手段、機能である。このような処理が必要とされるのは、ＤＶＤ−ＲＯＭディスクでは、ディスクの半径位置３５ｍｍまでは情報が記録されていることになっているため、少なくともディスクの半径位置３０ｍｍ程度までの領域にデータが記録されていないと、ＤＶＤ−ＲＯＭドライブが正常な読取動作を行うことができなくなってしまうからである。つまり、本実施の形態では、ＤＶＤ＋Ｒディスクである光ディスク２に最初のセッション２０１を記録するに際して、その記録された情報をＤＶＤ−ＲＯＭディスク再生用のＤＶＤ−ＲＯＭドライブでも再生可能になるように互換性を持たせることを可能としている。
【００９２】
そこで、本実施の形態では、ステップＳ１１の処理で、光ディスク２に記録されるクロージャ２３１が光ディスク２の中心から予め決められた範囲を超える規定領域、つまり、ＤＶＤ−ＲＯＭドライブが正常な読取動作を行うことができるようになるディスクの半径位置３０ｍｍの領域にまで達するかどうかを判定し、達しないと判定された場合には、ステップＳ１３の処理で、クロージャ２３１を所定位置、つまり、ディスクの半径位置３０ｍｍの領域にまで延長して書き込むわけである。そこで、このステップＳ１３の処理は、クロージャ２３１が規定領域に達しないと判定された場合に、クロージャ２３１を記録するステップにおいてクロージャ２３１を規定領域に達するまで延長して記録するステップ、手段、機能ということになる。
【００９３】
この際、ステップＳ１１の処理で、光ディスク２に記録されるクロージャ２３１が光ディスク２の中心から３０ｍｍの領域にまで達するかどうかを判定する処理として、データ書き込み量をチェックする。つまり、インナードライブエリア２４１と最初のセッション２０１におけるクロージャ２３１の終端までのデータ量を計算し、この計算したデータ量から光ディスク２に記録されるクロージャ２３１が光ディスク２の中心から３０ｍｍの領域にまで達するかどうかを判定する。この際、データ量からデータが達する位置を判定するには、両者の関係を何れかの記憶領域、例えば光ディスク装置１のＲＯＭ１２、ＰＣ１０１のＨＤＤ１０６に格納されているプログラム等に記憶しておけばよい。この記憶内容は、例えば図９に例示するような内容である。
【００９４】
図９は、ＤＶＤ＋Ｒディスクの各物理的セクタ番号（Physical Sector Number）がディスク上のどの半径位置に位置するかを示す説明図である。図９に示すように、ディスクの半径位置３０ｍｍの位置は、各物理的セクタ番号が７１００と７２００との間に位置付けられる。そこで、一例として、図８に示すフローチャート中のステップＳ１２の処理では、物理的セクタ番号が７２００以上となれば、所定量を超えたと判定すればよい。もっとも、ここでいう以上というのは、処理の具体的内容そのものを意味しているのではなく、概念的な内容を意味しているに過ぎない。よって、具体的な処理としては、データ量が、例えば７２００というような物理的セクタ番号以上であることを判定する処理、そのような物理的セクタ番号以下であることを判定する処理、そのような物理的セクタ番号を超えていることを判定する処理、そのような物理的セクタ番号未満であることを判定する処理等が実行可能である。
【００９５】
ここで、ステップＳ１３で実行されるクロージャ２３１の延長処理としては、各種の手法を採用することが可能である。以下、クロージャ２３１の延長処理に関する三つの手法を図１０ないし図１３に基づいて説明する。
【００９６】
図１０は、従来のクロージャ２３１のデータ構造を示す模式図、図１１は、延長された終端情報としてのクロージャ２３１の一例を示す模式図、図１２は、延長された終端情報としてのクロージャ２３１の別の一例を示す模式図、図１３は、延長された終端情報としてのクロージャ２３１の更に別の一例を示す模式図である。
【００９７】
クロージャ２３１は、図４に示したように、バッファゾーン２３３とアウターセッションアイデンティフィケーションゾーン２３４とから構成されている。従来におけるバッファゾーン２３３とアウターセッションアイデンティフィケーションゾーン２３４との物理的セクタ数は、図４及び図１０に示すように、それぞれ、セクタ数７６８とセクタ数２５６とである。これに対して、図８のフローチャート中のステップＳ１３の処理でクロージャ２３１を延長するには、バッファゾーン２３３を延長する（図１１参照）、アウターセッションアイデンティフィケーションゾーン２３４を延長する（図１２参照）、アウターセッションアイデンティフィケーションゾーン２３４に続けて、更にバッファゾーン２３３を追加する（図１３参照）、という手法が実施可能である。この場合のクロージャ２３１の延長量は、クロージャ２３１が光ディスク２の中心から３０ｍｍの領域にまで達するだけの量である。
【００９８】
ここで、図１１に示すようにバッファゾーン２３３を延長する場合、及び図１３に示すようにアウターセッションアイデンティフィケーションゾーン２３４に続けて更にバッファゾーン２３３を追加する場合には、例えば「０」を続けて記録していけばよい。これに対して、図１２に示すように、アウターセッションアイデンティフィケーションゾーン２３４を延長するには、例えば「０」を続けて記録するという手法を採用し得ることは勿論であるが、このアウターセッションアイデンティフィケーションゾーン２３４にコピーすべきデータを繰り返しコピーし続けるという手法を採用することも実施可能である。
【００９９】
このように、本実施の形態では、最初のセッション２０１においてデータゾーン２２１に記録するデータ量が少ない場合であっても、光ディスク２の中心から予め決められた範囲、例えば３０ｍｍを超える規定領域までデータを記録することができる。したがって、光ディスク２の中心から予め決められた範囲を超える規定領域以内の範囲にデータが記録されていないと正常な読取動作を行うことができない例えばＤＶＤ−ＲＯＭ再生用のＤＶＤ−ＲＯＭドライブに、データの正常な再生機能を提供することができる。
【０１００】
ここで、図８に示すフローチャートに戻る。このフローチャートでは、ステップＳ１３に続く処理として、クロージャ２３１の位置情報を光ディスク２の未使用領域１００１に書き込む処理を実行する（ステップＳ１５）。このような処理が要求されるのは、クロージャ２３１は、通常、図１０に示すデータ量となっている。このため、クロージャ２３１の長さが変わった場合には、光ディスク装置１において次のセッション２０１の先頭位置を判定しえなくなる可能性がある。そこで、本実施の形態では、クロージャ２３１の位置情報を光ディスク２の未使用領域１００１に書き込むことで、次のセッション２０１の先頭位置を容易に教示することを可能としている。
【０１０１】
ここで、光ディスク２の未使用領域１００１としては、例えば、リードイン２１１におけるGuard Zone、Reserved Zone、Buffer Zoneというような未使用領域１００１（図５参照）、クロージャ２３１中の未使用領域１００１であるバッファゾーン２３３という、イントロ２１２中の未使用領域１００１であるバッファゾーン２１３（図４参照）、ＴＯＣゾーン２４２中の未使用領域１００１であるRESERVED（図６、図７参照）等を使用することができる。
【０１０２】
以上の本実施の形態では、光ディスク２がＤＶＤ＋Ｒである場合について説明したが、これに限らず、セッションといった複数の記録区分に分割してデータ記録される情報記録媒体であれば、各種の情報記録媒体を光ディスク２として用いることができる。
【０１０３】
また、本実施の形態の光ディスク装置１は、ホスト、例えばＰＣ１０１と同一の筐体内に配置される、いわゆる内蔵型であってもよく、あるいは、ホストとは別の筐体内に配置される、いわゆる外付け型であってもよい。
【０１０４】
【発明の効果】
請求項１、２、３、９、１０、１１、１７、１８、１９記載の発明は、ＤＶＤ＋Ｒの規格に準拠した情報記録媒体に予め決められた範囲を超える規定領域までＤＶＤ＋Ｒの規格に準拠したデータを記録することができ、したがって、情報記録媒体に予め決められた範囲を超える規定領域以内の範囲にデータが記録されていないと正常な読取動作を行うことができない再生装置にデータの正常な再生機能を提供することができる。つまり、最初のセッション（Session）に記録されたデータが極めて短い場合であっても、そのようなデータが記録されたＤＶＤ＋Ｒを例えばＤＶＤ−ＲＯＭ用の情報再生装置で正常に読み取らせることができる。
【０１０６】
請求項１、９、１７記載の発明は、クロージャ（Closure）のバッファゾーン（Buffer Zone）を規定領域に達するまで延長するので、例えばバッファゾーン（Buffer Zone）に対する記録情報を延長するだけという極めて容易な手法によって、情報記録媒体に予め決められた範囲を超える規定領域までデータを記録することができる。
【０１０７】
請求項２、１０、１８記載の発明は、クロージャ（Closure）のアウターセッションアイデンティフィケーションゾーン（Outer Session Identification Zone）を規定領域に達するまで延長するので、例えばInner Session Identification Zoneを複数回アウターセッションアイデンティフィケーションゾーン（Outer Session Identification Zone）にコピーするだけという極めて容易な手法によって、情報記録媒体に予め決められた範囲を超える規定領域までデータを記録することができる。
【０１０８】
請求項３、１１、１９記載の発明は、クロージャ（Closure）のアウターセッションアイデンティフィケーションゾーン（Outer Session Identification Zone）の後にバッファゾーン（Buffer Zone）を追加記録することによってクロージャを規定領域に達するまで延長するので、クロージャ（Closure）に対する通常の情報記録処理を変更することなく、そのようなクロージャ（Closure）に対する通常の情報記録処理に続けてバッファゾーン（Buffer Zone）を追加記録するだけという極めて容易な手法によって、情報記録媒体に予め決められた範囲を超える規定領域までデータを記録することができる。
【０１０９】
請求項４、５、６、７、８、１２、１３、１４、１５、１６、２０、２１、２２、２３、２４記載の発明は、クロージャの位置情報を情報記録媒体の未使用領域に記録するステップを更に有するので、クロージャの長さが変わった場合でも、次の記録区分の先頭位置を容易に教示することができる。
【図面の簡単な説明】
【図１】本発明の実施の形態として、情報記録装置としての光ディスク装置の概略構成を示すブロック図である。
【図２】光ディスク装置に接続された情報処理装置としてのパーソナルコンピュータの概略構成を示すブロック図である。
【図３】ＤＶＤ＋Ｒディスクのマルチセッションフォーマット例を示す模式図である。
【図４】マルチセッションフォーマットのＤＶＤ＋Ｒディスクにおけるデータ構造の概略を示す説明図である。
【図５】シングルセッションフォーマットのＤＶＤ＋Ｒディスクにおけるデータ構造の詳細を示す説明図である。
【図６】ＴＯＣ（Table of Contents）のデータ構造を示す説明図である。
【図７】ＴＯＣ（Table of Contents）中のＴＯＣ Itemのデータ構造を示す説明図である。
【図８】クローズセッション処理の流れを示すフローチャートである。
【図９】ＤＶＤ＋Ｒディスクの各物理的セクタ番号（Physical Sector Number）がディスク上のどの半径位置に位置するかを示す説明図である。
【図１０】従来のクロージャ（Closure）のデータ構造を示す模式図である。
【図１１】延長された終端情報としてのクロージャ（Closure）の一例を示す模式図である。
【図１２】延長された終端情報としてのクロージャ（Closure）の別の一例を示す模式図である。
【図１３】延長された終端情報としてのクロージャ（Closure）の更に別の一例を示す模式図である。
【符号の説明】
２    情報記録媒体（光ディスク）
１    情報記録装置（光ディスク装置）
１２、１０３、１０６    記憶媒体（ＲＯＭ、ＲＡＭ、ＨＤＤ）
１０１    情報処理装置（ＰＣ）
２０１    記録区分（セッション（Session））
２１１    リードイン（Lead-in）
２１２    イントロ（Intro）
２３１    終端情報、クロージャ（Closure）
２３３    バッファゾーン（Buffer Zone）
２３４    アウターセッションアイデンティフィケーションゾーン（Outer Session Identification Zone）
２３５    バッファゾーン（Buffer Zone）
２４２    ＴＯＣゾーン（ＴＯＣ(Table of Contents) Zone）
１００１    未使用領域
【図１】
0004174235.tif 000002
【図２】
0004174235.tif 000003
【図３】
0004174235.tif 000004
【図４】
0004174235.tif 000005
【図５】
0004174235.tif 000006
【図６】
0004174235.tif 000007
【図７】
0004174235.tif 000008
【図８】
0004174235.tif 000009
【図９】
0004174235.tif 000010
【図１０】
0004174235.tif 000011
【図１１】
0004174235.tif 000012
【図１２】
0004174235.tif 000013
【図１３】
0004174235.tif 000014